(57)【要約】【課題】網部材の上端と紐部材との連結部分にかかる荷重を軽減することにより、従来の農作物用収容袋に比べて収容重量に対する耐久性が高い農作物用収容袋を得る。【解決手段】農作物用収容袋３０は、網部材３２で形成されており、網部材３２の上端部３３は、農作物用収容袋３０の開口上端部３１で折り曲げられており、農作物用収容袋３０の開口上端部３１は、網部材３２の上端３８が編み込まれて設けられた紐部材３４と、吊り下げ手段４１が設けられ、農作物用収容袋３０の開口上端部３１の上端縁を形成する上端紐部材３５と、上端紐部材３５と、網部材３２の開口上端部３１で折り曲げられた折り曲げ部分３９とを連結する連結紐部材４０とを備えている。【選択図】  図２
2004196316.tif 000002
【特許請求の範囲】
【請求項１】
農作物を収穫する収穫機の枠体に吊り下げ手段を介して吊り下げられる、農作物を収容するための農作物用収容袋において、
前記農作物用収容袋は、網部材で形成されており、該網部材の上端部は、前記農作物用収容袋の開口上端部で折り曲げられており、
前記農作物用収容袋の前記開口上端部は、
前記網部材の上端が編み込まれて設けられた紐部材と、
前記吊り下げ手段が設けられ、前記農作物用収容袋の前記開口上端部の上端縁を形成する上端紐部材と、
前記上端紐部材と、前記網部材の前記開口上端部で折り曲げられた折り曲げ部分とを連結する連結紐部材とを備えていることを特徴とする農作物用収容袋。
【請求項２】
前記網部材の上端部は、前記上端紐部材の下方位置で折り曲げられていることを特徴とする請求項１に記載の農作物用収容袋。
【請求項３】
前記網部材の上端部は、前記上端紐部材を包囲するように折り曲げられていることを特徴とする請求項１に記載の農作物用収容袋。
【請求項４】
前記網部材は、格子状であることを特徴とする請求項１乃至３のいずれか一つに記載の農作物用収容袋。
【請求項５】
前記網部材は、合成樹脂で形成されていることを特徴とする請求項１乃至４のいずれか一つに記載の農作物用収容袋。
【発明の詳細な説明】
【０００１】
【発明の属する技術分野】
本発明は、砂糖黍等の農作物を収容するのに適用可能な農作物用収容袋に関するものである。
【０００２】
【従来の技術】
従来において、砂糖黍等の農作物を収容するための農作物用収容袋が知られている。この農作物用収容袋は、農作物を収穫する収穫機のアームに吊り下げられた状態で取り付けられており、収穫機によって切り取られた農作物が順次に投入されて収容される。
【０００３】
収穫機のアームの先端には、ロックシャフトを有する方形状の枠体が設けられている。一方、農作物収容袋の開口上端縁には複数の環状部材が設けられている。この環状部材をロックシャフトで係止することにより、農作物収容袋は、枠体に吊り下げられた状態で収穫機に取り付けられる（例えば、特許文献１参照。）。
【０００４】
【特許文献１】
特開平８−１１２０２０号公報（第２−３頁、第１図）
【０００５】
【発明が解決しようとする課題】
しかしながら、従来における農作物用収容袋には、収容重量に対する耐久性に問題があった。図７には、従来の農作物用収容袋７０を示し、図８には、該農作物用収容袋７０の開口上端部７１の一部分を示している。図７に示すように、農作物用収容袋７０は、上面が開放され、底面を有した筐体状に形成されている。図８に示すように、農作物用収容袋７０の開口上端部７１は、紐部材７２と、上端紐部材７３と、連結紐部材７４とから主に構成されている。
【０００６】
農作物用収容袋７０の底面及び４つの側面は、格子状の網部材７５で形成されていて、４つの側面を形成する網部材７５の上端７６は、紐部材７２に編み込まれて取り付けられている。この紐部材７２の上方には、紐部材７２に沿って上端紐部材７３が設けられており、上端紐部材７３は、連結紐部材７４によって紐部材７２と連結されている。図８に示すように、連結紐部材７４は、上端紐部材７３と紐部材７２とを包囲するように、上端紐部材７３及び紐部材７２の軸線方向に螺旋状に伸びており、これによって、上端紐部材７３と紐部材７２とは連結されている。また、上端紐部材７３には、収穫機の枠体のロックシャフトに係止する環状部材７７が複数設けられている。
【０００７】
上述のように構成された農作物用収容袋７０は、収穫機のアームの枠体に環状部材７７を介して吊り下げられた状態で、収穫機によって切り取られた農作物が順次に投入されて収容される。例えば、砂糖黍を収穫する場合には、農作物用収容袋７０内に略８００〜９００ｋｇの砂糖黍が収容される。従って、農産物が収容された農作物用収容袋７０の荷重（収容重量）は、環状部材７７及び環状部材７７近傍にある農作物用収容袋７０の開口上端部７１に集中する。
【０００８】
このように、大きな荷重が環状部材７７及び環状部材７７近傍にある農作物用収容袋７０の開口上端部７１に集中すると、農作物用収容袋７０の開口上端部７１が該荷重に耐えることができずに破断してしまい、その結果、この破断部分から農作物用収容袋７０内に収容された農産物がこぼれ落ちてしまうという問題があった。
【０００９】
この破断部分の多くは、網部材７５の上端７６と紐部材７２との連結部分である。上述のように、網部材７５の上端７６は紐部材７２に編み込まれて取り付けられているため、収容重量に対する耐久性が他の部分に比べて低い。従って、大きな荷重が環状部材７７及び環状部材７７近傍にある農作物用収容袋７０の開口上端部７１に集中すると、上記連結部分が該荷重に耐えることができずに破断してしまう。
【００１０】
本発明は、上述のような従来技術の問題点に鑑みてなされたものであり、網部材の上端と紐部材との連結部分にかかる荷重を軽減することにより、従来の農作物用収容袋に比べて収容重量に対する耐久性が高い農作物用収容袋を提供することを目的とする。
【００１１】
【課題を解決するための手段】
本発明は、農作物を収穫する収穫機の枠体に吊り下げ手段を介して吊り下げられる、農作物を収容するための農作物用収容袋において、前記農作物用収容袋は、網部材で形成されており、該網部材の上端部は、前記農作物用収容袋の開口上端部で折り曲げられており、前記農作物用収容袋の前記開口上端部は、前記網部材の上端が編み込まれて設けられた紐部材と、前記吊り下げ手段が設けられ、前記農作物用収容袋の前記開口上端部の上端縁を形成する上端紐部材と、前記上端紐部材と、前記網部材の前記開口上端部で折り曲げられた折り曲げ部分とを連結する連結紐部材とを備えていることを特徴とする農作物用収容袋を提供する。
【００１２】
また、前記網部材の前記上端部を、前記上端紐部材の下方位置で折り曲げることができる。また、前記網部材の上端部を、前記上端紐部材を包囲するように折り曲げることもできる。
【００１３】
また、前記網部材を、格子状にすることができる。さらに、前記網部材を、合成樹脂で形成することができる。
【００１４】
【発明の実施の形態】
以下、本発明にかかる農作物用収容袋の実施の形態について図面を参照しながら述べる。図１には、本発明にかかる砂糖黍等の農作物を収容するための農作物用収容袋３０を示し、図２には、該農作物用収容袋３０の開口上端部３１の一部分を示している。この農作物用収容袋３０は、農作物を収穫する収穫機（図示せず）のアームなどに吊り下げられた状態で取り付けられており、収穫機によって切り取られた農作物が順次に投入されて収容される。収穫機のアームの先端には、ロックシャフトを有する方形状の枠体が設けられている。後述するように、吊り下げ手段を枠体のロックシャフトで係止することにより、農作物用収容袋３０は、吊り下げ手段を介して枠体に吊り下げられた状態で収穫機に取り付けられる。
【００１５】
図１に示すように、農作物用収容袋３０は、上面が開放され、底面を有した筐体状に形成されており、農作物用収容袋３０の底面及び４つの側面は、格子状の網部材３２で形成されている。この網部材３２は、例えば、合成樹脂で形成することができる。図２によく示すように、農作物用収容袋３０の４つの側面を形成する網部材３２の上端部３３は、農作物用収容袋３０の開口上端部３１で外方に折り曲げられて二重に形成されている。
【００１６】
農作物用収容袋３０の開口上端部３１は、紐部材３４と上端紐部材３５と固定連結紐部材３６と連結紐部材３７とから主に構成されている。紐部材３４には、農作物用収容袋３０の４つの側面を形成する網部材３２の上端３８が編み込まれて取り付けられている。この紐部材３４は、固定連結紐部材３６によって網部材３２と連結されている。より具体的に述べると、固定連結紐部材３６は、二重に形成された各網部材３２の上端部３３の開口をそれぞれ通り、紐部材３４に沿って螺旋状に伸びており、これによって、紐部材３４と網部材３２とを連結している。
【００１７】
上端紐部材３５は、農作物用収容袋３０の開口上端部３１の上端縁を形成しており、図示のように、網部材３２の開口上端部３１で折り曲げられた折り曲げ部分３９の上方に位置している。この上端紐部材３５は、連結紐部材４０によって折り曲げ部分３９と連結されている。より具体的に述べると、連結紐部材４０は、二重に形成された各網部材３２の上端部３３の開口をそれぞれ通り、上端紐部材３５に沿って螺旋状に伸びており、これによって、上端紐部材３５と網部材３２の折り曲げ部分３９とを連結している。すなわち、網部材３２の上端部３３は、上端紐部材３５によって二点支持されて、折り曲げられている。
【００１８】
また、上端紐部材３５には、収穫機の枠体のロックシャフトに係止する吊り下げ手段としての吊り輪４１が複数設けられている。この吊り輪４１を収穫機の枠体のロックシャフトで係止することにより、農作物用収容袋３０を、吊り下げ手段を介して枠体に吊り下げられた状態で収穫機に取り付けることができる。
【００１９】
以上のように、農作物用収容袋３０の４つの側面を形成する網部材３２の上端部３３が開口上端部３１で外方に折り曲げられているため、網部材３２の上端３８と紐部材３４との編み込み連結部分にかかる荷重を、農産物が収容された農作物用収容袋３０の荷重（収容重量）の略半分にすることができ、従来の農作物用収容袋に比べて農作物用収容袋３０の収容重量に対する耐久性を高くすることができる。
【００２０】
図２に示すものは、農作物用収容袋３０の４つの側面を形成する網部材３２の上端部３３は、農作物用収容袋３０の開口上端部３１において上端紐部材３５の下方位置で外方に折り曲げられて二重に形成されているが、網部材３２の上端部３３は、農作物用収容袋３０の開口上端部３１において上端紐部材３５の外周を包囲するように外方に折り曲げて二重に形成することもできる。
【００２１】
次に、本発明にかかる農作物用収容袋を用いた収容袋着脱装置について図面を参照しながら述べる。なお、図３および図４は、収容袋着脱装置の一実施例を示し、図３はその斜視図、図４は収容袋を外した状態の底面図である。
【００２２】
図３に示すように、収穫機などの収容装置は、収容枠１と農作物用収容袋２を有する。収容枠１は金属性の矩形の枠体で構成されている。収容袋２は、合成樹脂等で成形された格子状の網で構成されており、収容袋２の開口部３（図２において上端紐部材３５）には吊り下げ手段としての複数の留め輪４が等間隔に取り付けられている。収容袋２は、収容枠１の底部５に設けられた収容袋着脱装置６によって着脱可能に取り付けられている。収容袋着脱装置６は、着脱機構Ａと脱着操作機構Ｂを備えている。
【００２３】
着脱機構Ａは、図５および図６に示すようにロックシャフト７の一端を支持し案内するシャフト貫通孔８ａ，８ｂを有する一対の案内板９ａ，９ｂおよびロックシャフト７の他端を支持し案内するシャフト貫通孔８ｃを有する案内板９ｃと、シャフト貫通孔８ａ，８ｂおよびシャフト貫通孔８ｃを案内にして摺動する前記ロックシャフト７と、ロックシャフト７の案内板９ｂと９ｃ間に装着されてロックシャフト７を常に一方側に付勢しているスプリング１０で構成されている。また、ロックシャフト７の先端側には、スプリング１０を止める留めピン１１と、ロックシャフト７を案内する円筒状のガイド１２が設けられている。着脱機構Ａは、前記収容袋２の開口部３に設けられた複数の留め輪４に対応して収容枠１の底部５の枠に沿って内側に等間隔に複数設けられている。
【００２４】
一方、脱着操作機構Ｂは、収容枠１の底部５の各角部１３に固定された任意の曲率半径を有するボール案内パイプ１４と、ボール案内パイプ１４内に挿入された鋼球からなる複数の動作伝達ボール１５と、動作伝達ボール１５が両端で接する対応したボール案内パイプ１４間に設けられた各脱着作動シャフト１６と、一つの脱着作動シャフト１６に連結する操作レバー１７で構成され、収容枠１の底部５の枠に沿って外側に設けられている。なお、前記動作伝達ボール１５には、合成樹脂製のボールを使用することができる。
【００２５】
また、操作レバー１７は、軸１８を軸として回動し、軸１８と脱着作動シャフト１６間がリンク１９で連結し、リンク１９の他端の長孔２０に係合するピン２１を介して脱着作動シャフト１６に接続している。収容枠１の底部５には、普段操作レバー１７を操作しない時係止して置く止め金具２６が設けられている。
【００２６】
各着脱機構Ａのロックシャフト７と脱着操作機構Ｂの脱着作動シャフト１６の間は、ロックシャフト７にナット２２によって固定されたシャフト貫通孔２３を有する作動板２４で連結され、一方脱着作動シャフト１６には、操作レバー１７を操作して収容袋２を収容枠１から脱着させる時に作動板２４に当接し押圧し移動させる各動作伝達ピン２５が固定されている。
【００２７】
次に、収容袋着脱装置の作用について説明する。まず、収容袋２を取り付ける時には、作動板２４に手を当ててロックシャフト７を順次スプリング１０の付勢力に抗して矢印ａで示す方向に鎖線の位置迄移動し、収納袋２の開口部３に取り付けられた留め輪４を一対の案内板９ａ，案内板９ｂ間に位置させ、その状態で手を放しスプリング１０のスプリング力によりロックシャフト７を元の位置に戻すことにより留め輪４の輪内にロックシャフト７が貫通され各留め輪４を係止し、収容袋２を収容枠１に装着する。
【００２８】
次に、収容袋２を取り外す時には、操作レバー１７を止め金２６から外して矢印ｂ方向に回動すると、操作レバー１７が連結された一つの脱着作動シャフト１６が矢印ｃ方向に移動し、脱着作動シャフト１６の両端に接するボール案内パイプ１４内に挿入された動作伝達ボール１５（図５，図６は、一方のみ図示）が矢印ｄ方向に移動し他の脱着作動シャフト１６が矢印ｅ方向に移動し、他の全ての脱着作動シャフト１６が動作伝達ボール１５を介して移動する。
【００２９】
同時に各脱着作動シャフト１６の移動によってその脱着作動シャフト１６に固定された各動作伝達ピン２５が各作動板２４に当接して押圧し、容器袋２の開口部３に取り付けられた各留め輪４を係止しているロックシャフト７をスプリング１０の付勢力に抗して矢印ａで示す方向に鎖線の位置迄移動し、ロックシャフト７が留め輪４から全て外される。
【００３０】
これにより、収容枠１に取り付けられた収納袋２が外れる。つまり、一つの操作レバー１７の操作により、各留め輪４が各ロックシャフト７から一括に外されて収容袋２の脱着が容易に行われる。なお、収容袋２の取り付けは、脱着機構Ａが独立に操作できることから、ロックシャフト７を操作することにより脱着操作機構Ｂに支障を与えることなく取り付けできる。
【００３１】
【発明の効果】
本発明によれば、農作物を収穫する収穫機の枠体に吊り下げ手段を介して吊り下げられる、農作物を収容するための農作物用収容袋において、前記農作物用収容袋は、網部材で形成されており、該網部材の上端部は、前記農作物用収容袋の開口上端部で折り曲げられており、前記農作物用収容袋の前記開口上端部は、前記網部材の上端が編み込まれて設けられた紐部材と、前記吊り下げ手段が設けられ、前記農作物用収容袋の前記開口上端部の上端縁を形成する上端紐部材と、前記上端紐部材と、前記網部材の前記開口上端部で折り曲げられた折り曲げ部分とを連結する連結紐部材とを備えているため、網部材の上端と紐部材との編み込み連結部分にかかる荷重を、農産物が収容された農作物用収容袋の荷重（収容重量）の略半分にすることができ、従来の農作物用収容袋に比べて農作物用収容袋の収容重量に対する耐久性を高くすることができる。
【図面の簡単な説明】
【図１】図１は、本発明にかかる砂糖黍等の農作物を収容するための農作物用収容袋の実施の形態を示す斜視図である。
【図２】図２は、上記農作物用収容袋の開口上端部の一部分を示す部分斜視図である。
【図３】図３は、本発明にかかる農作物用収容袋を用いることができる収容袋着脱装置の一実施例の斜視図である。
【図４】図４は、上記農作物用収容袋を外した図１の装置の底面図である。
【図５】図５は、図１の要部拡大底面図である。
【図６】図６は、図１の要部拡大側面図である。
【図７】図７は、従来の農作物用収容袋の一例を示す斜視図である。
【図８】図８は、上記農作物用収容袋の開口上端部の一部分を示す部分斜視図である。
【符号の説明】
１：収容枠、２：農作物用収容袋、３：開口部、４：留め輪、５：底部、６：収容袋着脱装置、７：ロックシャフト、１３：角部、１４：ボール案内パイプ、１５：動作伝達ボール、１６：脱着作動シャフト、１７：操作レバー、２４：作動板、２５：動作伝達ピン、３０：農作物用収容袋、３１：開口上端部、３２：網部材、３３：上端部、３４：紐部材、３５：上端紐部材、３６：固定連結紐部材、３７：連結紐部材、３８：上端、３９：折り曲げ部分、４０：連結紐部材、４１：吊り輪、Ａ：着脱機構、Ｂ：脱着操作機構
【図１】
2004196316.tif 000003
【図２】
2004196316.tif 000004
【図３】
2004196316.tif 000005
【図４】
2004196316.tif 000006
【図５】
2004196316.tif 000007
【図６】
2004196316.tif 000008
【図７】
2004196316.tif 000009
【図８】
2004196316.tif 000010